(57)【要約】【課題】本発明は、浴槽載置用の浴槽防水パンを浴槽囲いパンに流用可能な構造を提供することを目的とする。【解決手段】本発明は、浴槽載置用の浴槽防水パンと、前記浴槽防水パンに載置される浴槽と、前記浴槽の洗場防水パン側を除く３辺のフランジ部に沿って設置される壁パネルと、前記浴槽と前記洗場防水パンの間に設けられるエプロンと、前記洗場防水パン側を除く、前記浴槽フランジ裏面と前記浴槽防水パンの外縁３辺に設置される浴槽囲い壁と、で形成される浴室ユニットであって、前記浴槽防水パンの外縁上部と前記浴槽囲い壁の下端とを係合する下部係合部材と、前記浴槽フランジ裏面と前記浴槽囲い壁上端を係合する上部係合部材を有することを特徴とする。【選択図】図１
2015040446.tif 000002
【特許請求の範囲】
【請求項１】
浴槽載置用の浴槽防水パンと、前記浴槽防水パンに載置される浴槽と、前記浴槽の洗場防水パン側を除く３辺のフランジ部に沿って設置される壁パネルと、前記浴槽と前記洗場防水パンの間に設けられるエプロンと、前記洗場防水パン側を除く、前記浴槽フランジ裏面と前記浴槽防水パンの外縁３辺に設置される浴槽囲い壁と、で形成される浴室ユニットであって、前記浴槽防水パンの外縁上部と前記浴槽囲い壁の下端とを係合する下部係合部材と、前記浴槽フランジ裏面と前記浴槽囲い壁上端を係合する上部係合部材を有することを特徴とする浴室ユニット。
【請求項２】
請求項１に記載の浴室ユニットおいて、前記下部係合部材の底部に前記浴槽防水パンの外縁凹部に嵌合する凸部が形成され、前記下部係合部材の上部に前記浴槽囲い壁の下端部を嵌合する溝が形成されたことを特徴とする浴室ユニット。
【請求項３】
請求項１乃至請求項２のいずれかに記載の浴室ユニットおいて、前記上部係合部材の底部に前記浴槽囲い壁の上端部を嵌合する溝が形成され、前記上部係合部材の上部に前記浴槽のフランジ部外縁に係合する係止部が形成されたことを特徴とする浴室ユニット。
【請求項４】
請求項１乃至請求項３のいずれかに記載の浴室ユニットおいて、前記下部係合部材の浴槽側端部に前記浴槽防水パンと接する箇所の少なくとも１以上の箇所に設けられた止水部材と、前記下部係合部材の溝内部に設けられた少なくとも１以上の止水部材と、前記上部係合部材の溝の内部に設けられた少なくとも１以上の止水部材を具備したことを特徴とする浴室ユニット。
【請求項５】
請求項１乃至請求項４のいずれかに記載の浴室ユニットにおいて、前記浴槽底部に複数の浴槽脚が突設され、前記浴槽防水パンに前記浴槽を設置した状態において前記浴槽脚を設置する浴槽防水パンの底壁部分に前記浴槽脚を嵌合する凹部が形成されたことを特徴とする浴室ユニット。
【発明の詳細な説明】
【技術分野】
【０００１】
本発明は、浴槽載置用の浴槽防水パンと、この浴槽防水パンに載置する浴槽及び壁パネルと、エプロンで構成される浴室ユニットに関する。
【背景技術】
【０００２】
従来、浴室ユニットの浴槽設置方法としては、浴槽載置用の浅型浴槽防水パンの外縁部に壁パネルを載置させ、その載置した壁パネルの内周面に、浴槽の洗場側を除く３辺のフランジ部を当接させて、浴槽を浴槽防水パン上に設置する方法が知られている。
【０００３】
また、別な浴室ユニットの浴槽設置方法として、浴槽の洗場側を除く３辺のフランジ部に壁パネルを載置させ、浴槽と壁パネルとエプロンと洗場パンを水密に接合することで、浴槽載置用の浴槽防水パンを用いない設置方法が知られている。
しかし、集合住宅や戸建の２階以上に浴室ユニットを設置する場合に、浴槽及び止水部からの漏水防止対策として、浴槽の外周を覆う様に浴槽囲いパンを設置する方法が知られている。
【先行技術文献】
【特許文献】
【０００４】
【特許文献１】特開２００９−２０９６０４号公報
【特許文献２】特開２００８−１６９６００号公報
【発明の概要】
【発明が解決しようとする課題】
【０００５】
浴室ユニットにおいて浴槽防水パンを用いる構造では、特許文献１に記載の図１の通り、浴槽防水パンと壁パネルとを水密に構成し、壁パネル組立後に浴槽を設置することで、新たな漏水防止対策を行う必要がなく、また、浴槽はその設置構造から比較的交換を容易に行う事ができ、リホーム等で浴槽を入替えする場合に有利な構成を提供できる。
しかし、特許文献１に記載の図１の構造では、浴槽の漏水対策が不要な設置場所でも、浴槽防水パンや浴槽フランジ部よりも下部に延設する長尺の壁パネルを使用しなければならず、コスト低減を図ることができない。
【０００６】
また、浴室ユニットで浴槽囲いパンを用いる構造では、特許文献１に記載の図５の様に浴槽囲いパンは浴槽より大型化するため、浴槽囲いパン製造用の金型費用や部材コストが嵩み、漏水対策コストが割高になる。そこでコスト低減方法として特許文献２に記載の図２１に示すように、浴槽防水パンと周囲壁とを分割してコスト増を抑制する方法が開示されているが、新たに専用の浴槽防水パンを用意する必要があり、また分割型浴槽囲いパンを用いる場合、浴槽囲い壁を浴槽防水パンへ固定する部品が増加する為、大幅なコスト低減は望めなかった。
【０００７】
本発明は、前記の従来の問題点に鑑みてなされたものであって、浴槽防水パンを使用する浴室ユニットの浅型の浴槽防水パンを、分割型浴槽囲いパンへ流用可能な浴室ユニットの提供を目的とする。
また、本発明は前記浴槽防水パンに止水部材を設けた係合部材を使用することで、止水パッキン及び機械固定を必要としない分割型浴槽囲いパンを搭載した、浴室ユニットの提供を目的とする。
【課題を解決するための手段】
【０００８】
本発明は、前記課題を解決する手段として、以下の構成を有する。
（１）本発明は、浴槽載置用の浴槽防水パンと、前記浴槽防水パンに載置される浴槽と、前記浴槽の洗場防水パン側を除く３辺のフランジ部に沿って設置される壁パネルと、前記浴槽と前記洗場防水パンの間に設けられるエプロンと、前記洗場防水パン側を除く、前記浴槽フランジ裏面と前記浴槽防水パンの外縁３辺に設置される囲い壁と、で形成される浴室ユニットにおいて、前記浴槽防水パンの外縁上部と前記囲い壁の下端とを係合する下部係合部材と、前記浴槽フランジ裏面と前記囲い壁上端を係合する上部係合部材を有することを特徴とする。
【０００９】
（２）先に記載の浴室ユニットおいて、前記下部係合部材の底部に前記浴槽防水パンの外縁凹部に嵌合する凸部が形成され、前記下部係合部材の上部に前記浴槽囲い壁の下端部を嵌合する溝が形成された構成を採用できる。
（３）（１）または（２）に記載の浴室ユニットおいて、前記上部係合部材の底部に前記浴槽囲い壁の上端部を嵌合する溝が形成され、前記上部係合部材の上部に前記浴槽のフランジ部外縁に係合する係止部が形成された構成を採用できる。
（４）（１）〜（３）のいずれかに記載の浴室ユニットおいて、前記下部係合部材の浴槽側端部に前記浴槽防水パンと接する箇所の少なくとも１以上の箇所に設けられた止水部材と、前記下部係合部材の溝内部に設けられた少なくとも１以上の止水部材と、前記上部係合部材の溝の内部に設けられた少なくとも１以上の止水部材を具備した構成を採用できる。
（５）（１）〜（４）のいずれかに記載の浴室ユニットにおいて、前記浴槽底部に複数の浴槽脚が突設され、前記浴槽防水パンに前記浴槽を設置した状態において前記浴槽脚を設置する浴槽防水パンの底壁部分に前記浴槽脚を嵌合する凹部が形成された構成を採用することができる。
【発明の効果】
【００１０】
本発明による浴室ユニットによれば、浴槽載置用の浴槽防水パンと、浴槽囲い壁と、下部係合部材と、上部係合部材とに分割した構成により、浴槽防水パンを使用しない浴室ユニットの漏水防止用浴槽囲いパンへ、浴槽載置用の浴槽防水パンを流用することが可能となり、浴室ユニットの浴槽設置方法が相違しても共通の浴槽載置用の浴槽防水パンとして使用できる構造にすることにより、金型費や部材価格の低減及び、生産性向上や管理業務の軽減を図ることができる。
また、浴槽載置用の浴槽防水パンと、浴槽囲い壁と、下部係合部材と、上部係合部材を機械固定せず、嵌合により設置できる構造とすることにより、固定部品が不要となり安易に浴槽囲いパンとしての浴槽防水パンの設置が可能となる。
【００１１】
下部係合部材の凸部を浴槽防水パンの外縁凹部に嵌合することでビスやネジなどの金具を用いることなく下部係合部材を浴槽防水パンに結合できる。よって浴槽防水パンと下部係合部材の接合部分について安価な接合構造を提供できる。
上部係合部材の底部の溝に浴槽囲い壁の上端部を嵌合し、上部係合部材の上部に浴槽フランジ部外縁に係合する係止部を設けることでビスやネジなどの金具を用いることなく上部係合部材を浴槽および浴槽囲い壁に結合できる。よって浴槽および浴槽囲い壁と上部係合部材の接合部分について安価な接合構造を提供できる。
【００１２】
下部係合部材、上部係合部材には、下部係合部材の浴槽防水パンと接する箇所の止水部材と、浴槽囲い壁が挿入される溝内部の止水部材と、上部係合部材の浴槽囲い壁が挿入される溝内部に止水部材を設けたことで、止水パッキンの追加を不要とした上に、浴槽囲い壁と下部係合部材、上部係合部材の係合箇所からの漏水防止を図ることができる。
さらに、浴槽底部に設けた複数の浴槽脚を浴槽防水パンの底壁部分に設けた凹部に嵌合して浴槽を固定しておくことで浴槽の位置ずれを生じ難くするとともに、浴槽に仮に衝撃が作用しても浴槽周囲の浴槽囲い壁に衝撃を伝え難い構成を提供できる。
【図面の簡単な説明】
【００１３】
【図１】本発明に係る浴室ユニットの第１実施形態の完成状態を示す斜視図。
【図２】同第１実施形態における、下部係合部材と浴槽囲い壁と上部係合部材と浴槽を分離した状態を示す斜視図。
【図３】図1に示すＡ１−Ａ２線に沿う部分断面図。
【図４】図1に示すＢ１−Ｂ２線に沿う部分断面図。
【図５】本発明に係る浴室ユニットの参考形態の完成状態を示す斜視図。
【図６】同参考形態における、各構成部材を分離した状態を示す斜視図。
【図７】図５に示すＣ１−Ｃ２線に沿う部分断面図。
【図８】図５に示すＤ１−Ｄ２線に沿う部分断面図。
【発明を実施するための形態】
【００１４】
「第１の実施形態」
以下、本発明の実施形態を挙げて本発明の詳細を説明する。
図１、図２は本発明に係る浴室ユニットの第１実施形態を示す斜視図である。
本実施形態の浴室ユニットＵは、洗場防水パン１と、浴槽防水パン２と、この浴槽防水パン２の上方に設置される下部係合部材３と、浴槽囲い壁４と、上部係合部材５と、浴槽６と、浴槽エプロン７と、浴槽６の周囲に配置される壁パネル８と、壁パネル９を具備して構成されている。
洗場防水パン１は、平面視矩形状に形成され、洗場防水パン１の一方の長辺側中央に排水口１ａが形成されている。
浴槽防水パン２は、平面視矩形状の浅型に形成され、洗場防水パン１の排水口形成側の端縁部１ｂに隣接して水平に設置され、浴槽防水パン２の上には後述するように浴槽６が設置される。
【００１５】
浴槽防水パン２は平面視矩形状の底壁２Ａと、この底壁２Ａにおいて洗場防水パン１側を除いた３辺側に立設された背の低い側壁２Ｂを具備している。
側壁２Ｂの上端面全長に溝型の外縁凹部２ｃが形成され、側壁２Ｂの上に外縁凹部２ｃに嵌合固定される平面視コ字型の枠状の下部係合部材３が設けられている。この下部係合部材３の上面側には、全長に渡りＵ型溝３ｂが形成されており、下部係合部材３の上にはＵ型溝３ｂに嵌め込み固定される平面視コ字型の浴槽囲い壁４が設けられている。
浴槽囲い壁４の上には、浴槽囲い壁４の上端部を嵌め込むＵ型溝５ａを下端側に備え、上端側に浴槽６のフランジ部上端を嵌め込む固定クリップ５Ｄを備えた上部係合部材５が設けられている。
【００１６】
浴槽防水パン２の上には浴槽６が載置されている。この浴槽６は下窄まり状の浴槽本体６ａと浴槽本体６ａの上面開口部周縁に水平向きに延出形成されたフランジ部６ｂとからなる。
浴槽６のフランジ部６ｂにおいて洗場防水パン１側を除く３辺側にフランジ部６ｂの先端縁から上方に立ち上がるリム部６ｃが形成されている。また、浴槽本体６ａの底壁６ｄにおいてその下面側に突起状の浴槽脚６ｅが所定の間隔で複数形成されている。
【００１７】
浴槽防水パン２上に浴槽６を位置合わせして設置した状態において浴槽脚６ｅが浴槽防水パン２に設置される位置に浴槽脚６ｅを嵌合し固定するための凹部２ａが形成されている。また、浴槽脚６ｅの下端部に脚固定用嵌合材２ｂが嵌め込まれ、この脚固定用嵌合材２ｂを前記凹部２ａに嵌合することで、浴槽脚６ｅが保持される。浴槽脚６ｅを嵌合固定することで、浴槽６の移動や位置ずれが最小になるように制限でき、浴室内面側から浴槽囲い壁４側に付加される荷重や衝撃を最小限にできる構造となる。
浴槽脚６ｅを嵌合固定する構造により、浴槽防水パン２に取り付けする下部係合部材３と、浴槽囲い壁４と、上部係合部材５は、ネジ、ビス等の機械固定が不要となり、各部品を嵌合で固定できる為、部品点数低減を実現でき、これにより組立性改善・コスト低減を図ることができる。
【００１８】
図３は図１のＡ１−Ａ２線に沿う断面図である。
図３に示すように浴槽防水パン２の側壁２Ｂ上端部に形成された外縁凹部２ｃに対し下部係合部材３を介し板状の浴槽囲い壁４の下端部が嵌合されている。本実施形態の浴槽防水パン２は後述するように樹脂製の一体成形物からなり、側壁２Ｂの上端部に図３の断面構造に示すように逆Ｌ字型のスカート状の延出壁２Ｄが形成されている。そして、延出壁２Ｄの上端部であって側壁２Ｂとの接合部分にＵ字状（チャネル状）の受け部２Ｆが形成され、この受け部２Ｆの内面に外縁凹部２ｃが形成されている。
【００１９】
下部係合部材３は、浴槽防水パン２の外縁凹部２ｃに嵌合する下向き中空の凸部３Ａを有し、外縁凹部２ｃへの嵌合状態において凸部３Ａの幅方向一側端部から上方に延出する内側係止片３Ｂと凸部３Ａの幅方向他側端部から上方に延出する外側係止片３Ｃとを有している。内側係止片３Ｂは凸部３Ａにおいて浴槽防水パン２の内側よりの部分に、外側係止片３Ｃは凸部３Ａにおいて浴槽防水パン２の外側よりの部分にそれぞれ形成され、内側係止片３Ｂと外側係止片３Ｃとの間に上方に開口し、下向き凸部３Ａの下部側まで達するＵ型溝３ｂが形成されている。
【００２０】
内側係止片３Ｂと凸部３Ａとの境界部分には凸部３Ａを外縁凹部２ｃに嵌合した状態で浴槽防水パン２の側壁上端部（図３の受け部２Ｆの右側上端部２ｇ）に被着される延出片３Ｄが形成され、外側係止片３Ｃと凸部３Ａとの境界部分には凸部３Ａを外縁凹部２ｃに嵌合した状態で浴槽防水パン２の側壁上端部（図３の受け部２Ｆの左側上端部２ｈ）に被着される延出片３Ｅが形成されている。
外側係止片３Ｃは下向き凸部３Ａの幅方向端部より内側係止片３Ｂの側に若干せり出すように形成された延出部３Ｆの先端部に延出部３Ｆとほぼ直角に形成されている。内側係止片３Ｂは外側係止片３Ｃとほぼ平行に形成されているが、内側係止片３Ｂの内面側（外側係止片３Ｃ側）に上下２条の軟質樹脂製の係止ヒレ（係止部材）３ａが形成されている。Ｕ型溝３ｂの内側において内側係止片３Ｂの基部からＵ型溝３ｂの底部側にかけて厚肉部３ｄが形成され、Ｕ型溝３ｂの底部側において溝幅が狭くされている。この溝幅が狭くされた部分にこの溝幅と同等程度の厚さの浴槽囲い壁４の下端部が嵌合されている。
【００２１】
従って、Ｕ型溝３ｂの底部に浴槽囲い壁４の下端部を嵌合した状態において浴槽囲い壁４の側面と内側係止片３Ｂの内面との間に若干の隙間を生じるが、この隙間に止水ヒレ３ａ、３ａが延在していて隙間を閉じるので、浴槽囲い壁４と下部係合部材３との間の水密性が向上されている。なお、図３に示す横断面においては止水ヒレ３ａ、３ａの状態を見やすくするために、浴槽囲い壁４が嵌合されていない状態の止水ヒレ３ａ、３ａの位置を示しているが、浴槽囲い壁４をＵ型溝３ｂに嵌合した状態において止水ヒレ３ａ、３ａは浴槽囲い壁４と内側係止片３Ｂとの間の隙間に挟まれて下向きに延在する。
【００２２】
また、延出片３Ｄの先端側にも斜め下向きに延出する軟質樹脂製の止水ヒレ（止水部材）３ｇが形成されていて、凸部３Ａを外縁凹部２ｃに嵌合して延出片３Ｄを側壁２Ｂの上端部に沿わせた場合、止水ヒレ３ｇが側壁２Ｂの上端部に接触して延出片３Ｄと側壁２Ｂの間の水密性を高める構造とされている。図３ではこの止水ヒレ３ｇにおいても側壁２Ｂの上端部と接触していない状態として示したが、実際に延出片３Ｄを側壁２Ｂの上に載置した状態では止水ヒレ３ｇが側壁の上端部に沿って被着される。
これらの止水ヒレ３ａ、３ｇを設けていることで、下部係合部材３を浴槽防水パン２に嵌合し、下部係合部材３に浴槽囲い壁４を嵌合する操作のみで、固定及び水密を確保できる為、浴槽囲い壁４は複雑な形状が不要となり、金型投資費用の低減と、汎用板材採用可能によりコスト低減を図ることができる。
【００２３】
図４は図１のＢ１−Ｂ２線に沿う断面図である。
図４に示すように浴槽囲い壁４の上端部側に上部係合部材５が設けられている。上部係合部材５は、浴槽囲い壁４の上端部を係合するＵ型溝５ａを形成するための係止片５Ａ、５Ｂを下端部に有し、上端部に浴槽６のリム部６ｃの上端部を係合するための固定クリップ部５Ｄを有している。
【００２４】
上部係合部材５において係止片５Ａの内面上部側には厚肉部５ｂが形成されてＵ型溝５ａの溝幅が狭くされており、この溝幅が狭くされた部分に浴槽囲い壁４の上端部が嵌合されている。また、係止片５Ａの内面側には上下に２条の止水ヒレ（止水部材）５ｄが形成され、これらの止水ヒレ５ｄがＵ型溝５ａに嵌合された浴槽囲い壁４に押し付けられている。なお、図４では止水ヒレ５ｄの状態を見やすくするため、浴槽囲い壁４をＵ型溝５ａに嵌合していない状態における止水ヒレ５ｄの位置を示している。しかし、浴槽囲い壁４をＵ型溝５ａに嵌合した状態において止水ヒレ５ｄ、５ｄは浴槽囲い壁４と係止片５Ａとの間の隙間に挟まれて上向きに延在し、浴槽囲い壁４と上部係合部材５の下端部との間の水密性を高める。
【００２５】
上部係合部材５において係止片５Ａ、５Ｂの形成位置よりも上側にはこれらより外側にＬ字型に延出するように延設片５Ｃが形成され、この延設片５Ｃの上端外側部に逆Ｌ字型の固定クリップ５Ｄがその上端の係止部（折曲部）５ｅの部分で浴槽６のリム部６ｃの上端部を囲むように係合されている。リム部６ｃの上端部と延出片５Ｃの上端部の間の部分にはこれらに挟まれるように止水パッキン（止水部材）５Ｆが介在されている。
図４に示すように浴槽６においてリム部６ｃの内側に浴室ユニットＵの壁部を構成する壁パネル８の下端部が配置されている。
【００２６】
本実施形態の浴室ユニットＵにおいて、図１、図２に示すようにこれら壁パネル８は浴槽６の背面側のリム部６ｃに沿って２枚配置され、浴槽６の右側面側のリム部６ｃに沿って１枚配置されている。また、図１、図２に示す壁パネル９は、洗場床パン１の右側面側に壁パネル８に隣接するように配置された壁パネルである。更に、洗場防水パン１と浴槽防水パン２の下方にはそれぞれ必要な位置に高さ調節可能な伸縮式の支持脚２０が必要数設けられ、これらの支持脚２０により洗場防水パン１と浴槽防水パン２がそれぞれ床スラブ等の建築物の床材の上に水平に設置されている。
【００２７】
上述の構造により、上部係合部材５には、浴槽防水パン２の方向（下向き）にＵ型溝５ａが設けられ、前記浴槽囲い壁４の上端部側を前記Ｕ型溝５ａに挿入することにより固定することができ、Ｕ型溝５ａ内部に少なくとも１以上の止水ヒレ５ｄを設けている為、浴槽囲い壁４の上部側を水密に固定することができる。
また、上部係合部材５には、上向きに延設された延設片５Ｃが設けられ、前記浴槽６のフランジ部６ｂの外周面に、止水パッキン５Ｆを介し、前記延設片５ｃを浴槽フランジ固定クリップ５Ｄで固着させ、浴槽周囲を囲う構造となっている。
本実施形態では、止水パッキン５Ｆを使用し、浴槽外周面と上部係合部材５を水密に固着させているが、上部係合部材５に止水性の軟質部材もしくは、止水ヒレを別途設け、前記フランジ部６ｂのリム部６ｃを固定クリップ５Ｄで固着させる構造でも問題は無い。
【００２８】
浴槽防水パン２は、防水性、強度がある繊維強化プラスチック（ＦＲＰ）で構成することが好ましいが、浴槽荷重を浴槽防水パン２の下に設置する補強架台で支持させる場合は、ＡＢＳ樹脂（アクリロニトリル、ブタジエン、スチレン共重合合成樹脂）、ポリプロピレン等の熱可塑性樹脂を使用しても問題は無い。浴槽防水パン２は、これらの樹脂から一体成形されている。
前記下部係合部材３、浴槽囲い壁４と、上部係合部材５は、大きな曲げ強度が不要であり、本実施例では、ＡＢＳ・ポリプロンピレン等の熱可塑性樹脂を使用し、押出成形及び射出成形品で成形している。
浴槽囲い壁４が自立可能であれば、ＥＰＤＭ（エチレンプロピレンゴム）やエラストマー等の軟質材料の成形品でも問題は無い。
【００２９】
「参考形態」
図５、図６は、特許文献１に記載の図１の構造である、浴槽防水パン２と壁パネル１０を水密に構成する浴室室ユニットに対し、前記第１実施形態の浴槽防水パン２を流用可能であることを示す参考形態を示す図である。
図５、図６に示す参考形態の構造では、浴室ユニットＶが、洗場防水パン１と、浴槽防水パン２と、浴槽防水パン２の洗場防水パン１側以外の外縁凹部２ｃに取り付けられる壁フレーム固定具１０ａ、１０ｂを有した壁パネル１０、１１と浴槽１２を有している。
また、浴室ユニットＶは、壁フレーム固定具１０ａ、１０ｂに取り付ける壁フレーム１０ｃ、１０ｄと、浴槽防水パン２の外縁凹部２ｃに載置される壁パネル１０と、洗場防水パン１の外縁凹部１ｃに載置される壁パネル１１と、壁パネル１０の内面側に洗場防水パン側の３辺のフランジ部１２ｂを当接させて載置される浴槽１２と、浴槽１２の洗場防水パン側の開口部に設置される浴槽エプロン１３で構成される。
【００３０】
図７は、浴槽１２の外周フランジ部１２ｂの組立状態を示すための図５のＣ１−Ｃ２線に沿う断面図である。外周フランジ部１２ｂの外縁部に垂下して形成されたスカート部１２ｃを壁パネル１０にネジ止めされた支持金具１５で受けることで浴槽１２が壁パネル１０に係止されている。
図８は、浴槽防水パン２に載置された壁パネル１０の載置構造を示すための図５のＤ１−Ｄ２線に沿う断面図である。
【００３１】
本参考形態では、前記第１の実施形態と同一の浴槽防水パン２を使用し、下部係合部材３との嵌合に使用していた浴槽防水パン２の洗場側以外の３辺に設けられた外縁凹部２ｃに、壁パネル１０の下端部１０ａを載置して接続したことで、浴槽１２を浴室組立後でも、容易に浴槽交換可能となる浴室ユニットＶの提供が可能となる。
係合部材を用いることなく直接壁パネル１０を防水パン２に設置する構造を採用することも可能である。浴槽防水パン２は係合部材３、５を用いる上述の囲い構造を備えた実施形態の構造と、係合部材３、５を用いることなく壁パネルを直接浴槽防水パン２に設置する構造の両方に同一の浴槽防水パン２を流用させることができる。
【符号の説明】
【００３２】
１…洗場防水パン、１ａ・・・排水口、１ｂ・・・排水口形成側端縁部、１ｃ・・・外縁凹部、２…浴槽防水パン、２Ａ…底壁、２Ｂ…側壁、２Ｄ・・・スカート状延出壁、２Ｆ・・・Ｕ字状受け部、２ａ…浴槽脚嵌合用の凹部、２ｂ…脚固定用嵌合材、２ｃ…外縁凹部、２ｇ・・・受け部右側上端部、２ｈ・・・受け部左側上端部、３…下部係合部材、３Ａ…凸部、３Ｂ・・・内側係止片、３Ｃ・・・外側係止片、３Ｄ・・・延出片、３Ｅ・・・延出片、３Ｆ・・・延出部、３ａ…止水部材（止水ヒレ）、３ｂ…Ｕ型溝、３ｄ・・・厚肉部、３ｇ…止水部材（止水ヒレ）、４…浴槽囲い壁、５…上部係合部材、５ａ…Ｕ型溝、５Ａ、５Ｂ…係止片、５Ｃ…延設片、５Ｄ…固定クリップ、５ｂ・・・厚肉部、５ｄ…止水部材（止水ヒレ）、５ｅ…係止部（折曲部）、５Ｆ…止水パッキン、６…浴槽、６ａ・・・浴槽本体、６ｂ…フランジ部、６ｃ…リム部、６ｄ・・・底壁、６ｅ・・・浴槽脚、７…浴槽エプロン、８、９…壁パネル、１０、１１…壁パネル、１０ａ、１０ｂ…壁フレーム固定具、１０ｃ、１０ｄ…壁フレーム、１２…浴槽、１２ｂ…フランジ部、１３・・・浴槽エプロン。
【図１】
2015040446.tif 000003
【図２】
2015040446.tif 000004
【図３】
2015040446.tif 000005
【図４】
2015040446.tif 000006
【図５】
2015040446.tif 000007
【図６】
2015040446.tif 000008
【図７】
2015040446.tif 000009
【図８】
2015040446.tif 000010